(57)【特許請求の範囲】
【請求項１】
一本の弾性体を折曲形成してなり、アングル材のフランジ部にケーブルを保持するケーブル用クリップにおいて、略Ｓ字形状に折曲形成された作用部を具備しており、前記作用部は、前記フランジ部の一面に接する一面側挟持片と、この一面側挟持片と第１Ｕターン部を介して連結され、前記フランジ部の他面に接する他面側挟持片と、この他面側挟持片と第２Ｕターン部を介して連結されたケーブル挟持片とを有しており、前記一面側挟持片は略円弧状に形成されていることを特徴とするケーブル用クリップ。
【請求項２】
一本の弾性体を折曲形成してなり、アングル材のフランジ部にケーブルを保持するケーブル用クリップにおいて、略Ｓ字形状に折曲形成された一対の作用部と、この一対の作用部を連結する連結部とを具備しており、前記作用部は、前記フランジ部の一面に接する一面側挟持片と、この一面側挟持片と第１Ｕターン部を介して連結され、前記フランジ部の他面に接する他面側挟持片と、この他面側挟持片と第２Ｕターン部を介して連結されたケーブル挟持片とを有しており、前記連結部はアングル材の支持平面とフランジ部との交わり角部に応じた係止部が形成されていることを特徴とするケーブル用クリップ。
【請求項３】
前記一対の作用部は、先端において先端連結部で連結されていることを特徴とする請求項２記載のケーブル用クリップ。
【発明の詳細な説明】
【技術分野】
【０００１】
本発明は、ケーブルをアングルに保持させるもの、例えば太陽電池パネルを相互に接続するケーブル等を太陽電池パネルを支持する支持構造に保持する際に使用されるケーブル用クリップに関する。
【背景技術】
【０００２】
太陽電池パネルの設置には、太陽電池パネルを相互に接続する多量のケーブルが使用される。このケーブルは、太陽電池パネルを支持する支持構造において保持される必要がある。このケーブルを支持構造に保持するためのものとして、特許第５１２６７２５号に係るケーブル支持金具がある。
このケーブル支持金具を構成する係止金具は、特許文献１の段落番号００２７に記載されているように『弾性を有する金属材にて側面略Ｕ字形状を成したクリップ状』に設けられたものである。
また、特許第５１２６７２５号に係るケーブル支持金具を構成する金具台座は、板状の被固定部材に固定させるためのものであり、段落番号００２５に記載があるように『弾性を有する金属板にて側面視略Ｕ字形状を成したクリップ状に』設けられたものである。
【０００３】
また、この種のケーブルを保持するものとしては、合成樹脂製のいわゆる結束バンドと称されるものもある。
【０００４】
【特許文献１】特許第５１２６７２５号公報
【発明の開示】
【発明が解決しようとする課題】
【０００５】
しかしなから、上述したケーブル支持金具等は、金属板を折曲形成して形作られたものであるので、どうしても縁部にバリが発生するおそれがある。太陽電池パネルを接続するケーブルは長期間に渡って屋外で使用されるものであるので、バリがケーブルの被覆を傷つけた場合、断線、ショート等の事故が発生するおそれがある。そこで、この種のケーブル支持金具は、研磨加工工程が必要になる。
また、合成樹脂製のいわゆる結束バンドではケーブルの被覆を直接的に傷つけるという問題が生じるおそれは低いが、長期間の屋外での使用により強度が低下し、ケーブルの固定が不完全になり、その結果、断線、ショート等の事故が発生するおそれがある。
【０００６】
本発明は、上記事情に鑑みて創案されたもので、一本の弾性体を折曲形成するだけで、その後の研磨加工工程等が不要で、ケーブルの被覆を傷つけることがなく、長期間に渡って屋外で使用しても強度が低下するおそれがないケーブル用クリップを提供することを目的としている。
【課題を解決するための手段】
【０００７】
本発明に係るケーブル用クリップは、一本の弾性体を折曲形成してなり、アングル材のフランジ部にケーブルを保持するケーブル用クリップであって、略Ｓ字形状に折曲形成された作用部を備えており、前記作用部は、前記フランジ部の一面に接する一面側挟持片と、この一面側挟持片と第１Ｕターン部を介して連結され、前記フランジ部の他面に接する他面側挟持片と、この他面側挟持片と第２Ｕターン部を介して連結されたケーブル挟持片とを有しており、前記一面側挟持片は略円弧状に形成されている。
【０００８】
また、本発明に係る他のケーブル用クリップは、一本の弾性体を折曲形成してなり、アングル材のフランジ部にケーブルを保持するケーブル用クリップであって、略Ｓ字形状に折曲形成された一対の作用部と、この一対の作用部を連結する連結部とを備えており、前記作用部は、前記フランジ部の一面に接する一面側挟持片と、この一面側挟持片と第１Ｕターン部を介して連結され、前記フランジ部の他面に接する他面側挟持片と、この他面側挟持片と第２Ｕターン部を介して連結されたケーブル挟持片とを有しており、前記連結部はアングル材の支持平面とフランジ部との交わり角部に応じた係止部が形成されている。
【発明の効果】
【０００９】
本発明に係るケーブル用クリップは、一本の弾性体、例えば一本の針金を折曲形成したものであり、従来のような金属板を折曲形成したものでないので、金属板を折曲形成したものにありがちな縁部のバリがない。このため，バリがケーブルの被覆を傷つけることがないので、ケーブルの断線、ショート等の事故が発生しない。
また、このケーブル用クリップは、バリがないので、従来のような金属板を折曲形成したものに必須の工程であった研磨加工工程が不要になり、コスト低減に資することができる。
【００１０】
さらに、このケーブル用クリップは、合成樹脂製のいわゆる結束バンドのように、長期間にわたって屋外で使用しても強度が低下せず、ケーブルの固定が不完全にならないので、ケーブルの断線、ショート等の事故が発生するおそれがない。
【図面の簡単な説明】
【００１１】
【図１】本発明の第１の実施の形態に係るケーブル用クリップの概略的斜視図である。
【図２】本発明の第１の実施の形態に係るケーブル用クリップでアングル材のフランジ部にケーブルを固定した状態を示す概略的斜視図である。
【図３】本発明の第１の実施の形態に係るケーブル用クリップをアングル材のフランジ部に取り付けた状態を示す概略的側面図である。
【図４】本発明の参考例に係るケーブル用クリップの概略的斜視図である。
【図５】本発明の第２の実施の形態第１の実施の形態に係るケーブル用クリップの概略的斜視図である。
【図６】本発明の第２の実施の形態態に係るケーブル用クリップの概略的斜視図である。
【図７】本発明の第３の実施の形態に係るケーブル用クリップの概略的斜視図である。
【発明を実施するための形態】
【００１２】
本発明の実施の形態に係るケーブル用クリップ１００は、一本の弾性体を折曲形成してなり、アングル材５００のフランジ部５１０にケーブル６００を固定するケーブル用クリップであって、略Ｓ字形状に折曲形成された一対の作用部１１０と、この一対の作用部１１０を連結する連結部１２０を備えており、前記作用部１１０は、前記フランジ部５１０の一面５１１に接する一面側挟持片１１１と、この一面側挟持片１１１と第１Ｕターン部１１２を介して連結され、前記フランジ部５１０の他面５１２に接する他面側挟持片１１３と、この他面側挟持片１１３と第２Ｕターン部１１４を介して連結されたケーブル挟持片１１５とを有している。
【００１３】
まず、ケーブル６００が固定されるべきアングル材５００について図２を参照しつつ説明する。
このアングル材５００は、縦横に組み合わされて太陽電池パネル（図示省略）を支持する支持構造を構成する。かかるアングル材５００は、支持平面５２０とフランジ部５１０とが組み合わされたＬ字形状をした長尺物であり、一方の支持平面５２０に太陽電池パネルが載置され、他方のフランジ部５１０に太陽電池パネルを相互に接続するケーブル６００が固定されるようになっている。
なお、フランジ部５１０の外側面が一面５１１側となり、内側面が他面５１２側となる。
【００１４】
ケーブル用クリップ１００を構成するのは、一本の針金である。この針金を折曲形成することでケーブル用クリップ１００を形作るのである。
このケーブル用クリップ１１０は、一対の作用部１１０、１１０と、この一対の作用部１１０、１１０を連結する連結部１２０とに大別される。
前記作用部１１０は、ケーブル用クリップ１００を自身をアングル材５１０のフランジ部５１０に固定し、かつケーブル６００を挟持する機能を有している。
直線状の一面側挟持片１１１の一端は、第１Ｕターン部１１２を中心として約２１０度湾曲されている。この第１Ｕターン部１１２以降が他面側挟持片１１３を構成している。他面側挟持片１１３は、先端（第１Ｕターン部１１２の反対側）は、一面側挟持片１１１の内側に接している。
【００１５】
前記他面側挟持片１１３の先端（第１Ｕターン部１１２の反対側）は、第２Ｕターン部１１４となっている。この第２Ｕターン部１１４の先端（第２Ｕターン部１１４の反対側）以降がケーブル挟持片１１５を構成している。このケーブル挟持片１１５と他面側挟持片１１３との間は、挟持すべきケーブル６００の太さ寸法より若干小さめの間隔が設けられている。そして、このケーブル挟持片１１５は、前記他面側挟持片１１３と略平行に形成されている。また、このケーブル挟持片１１５の先端（第２Ｕターン部１１４の反対側）は、他面側挟持片１１３との間隔がより狭くなっている。これは、他面側挟持片１１３とケーブル挟持片１１５との間に挟持されたケーブル６００が、容易には外れないようにするためである。
また、ケーブル挟持片１１５の先端は丸くなった丸曲部１１６となっている。この丸曲部１１６は、他面側挟持片１１３とケーブル挟持片１１５との間にケーブル６００を挟持する際にケーブル６００を不用意に傷つけないようにするためである。
【００１６】
本発明の実施の形態に係るケーブル用クリップ１００には、上述のように構成された作用部１１０が一対形成されている。この一対の作用部１１０、１１０は、連結部１２０によって平行状態で連結されている。
【００１７】
前記連結部１２０は、作用部１１０の一面側挟持片１１１の基端側（第１Ｕターン部１１２の反対側）で一対の作用部１１０、１１０を連結している。この連結部１２０は、一対の作用部１１０、１１０を連結するだけでなく、ケーブル用クリップ１００をフランジ部５１０に対して固定する役目も果たしている。
すなわち、図２、図３に示すように、一面側挟持片１１１の長さ寸法を固定すべきフランジ部５１０の幅寸法と略同等とし、かつその箇所から略９０度折曲形成することでフランジ部５１０と直交する支持平面５２０に係止される係止部１２１を形成するのである。
【００１８】
このように構成されたケーブル用クリップ１００は、図２、図３に示すように、一対の作用部１１０、１１０でフランジ部５１０を挟持することによってフランジ部５１０に取り付けられるようになる。すなわち、作用部１１０の一面側挟持片１１１をフランジ部５１０の一面５１１に、他面側挟持片１１３をフランジ部５１０の他面５１２に接触さた状態で、フランジ部５１０を作用部１１０で挟持するのである。
この際、作用部１１０の第１Ｕターン部１１２の内側にフランジ部５１０の縁部５１３を接触させるようにする。
【００１９】
このように、第１Ｕターン部１１２の内側にフランジ部５１０の縁部５１３を接触させると、連結部１２０の係止部１２１がアングル材５００の支持平面５２０とフランジ部５１０の交わり部分である角部５３０に係止されるのである。
このようにアングル材５００に取り付けられたケーブル用クリップ１００の作用部１１０の他面側挟持片１１３とケーブル挟持片１１５との間の空間にケーブル６００を入れ込むことで、ケーブル６００をアングル材５００に取り付けるのである。
なお、図２においては、２本のケーブル６００を保持するケーブル用クリップ１００が記載されているが、他面側挟持片１１３とケーブル挟持片１１５を変更することで、保持するケーブル６００の本数を変更することができる。
【００２０】
図４に示すような参考例としてのケーブル用クリップ２００もある。
この参考例に係るケーブル用クリップ２００は、連結部２２０の形態が第１の実施の形態に係るケーブル用クリップ１００とは異なっている。すなわち、この参考例に係るケーブル用クリップ２００では、連結部２２０は真っ直ぐになっており、第１の実施の形態に係るケーブル用クリップ１００における連結部１２０の係止部１２１に相当するものが存在しないのである。
【００２１】
なお、この参考例に係るケーブル用クリップ２００は、第１の実施の形態に係るケーブル用クリップ１００とは、連結部２２０の箇所が異なるだけで、他の部分は同一になっている。
従って、この参考例に係るケーブル用クリップ２００は、一本の弾性体を折曲形成してなり、アングル材５００のフランジ部５１０にケーブル６００を固定するケーブル用クリップであって、略Ｓ字形状に折曲形成された一対の作用部２１０と、この一対の作用部２１０を連結する連結部２２０とを備えており、前記作用部２１０は、前記フランジ部５１０の一面５１１に接する一面側挟持片２１１と、この一面側挟持片２１１と第１Ｕターン部２１２を介して連結され、前記フランジ部５１０の他面５１２に接する他面側挟持片２１３と、この他面側挟持片２１３と第２Ｕターン部２１４を介して連結されたケーブル挟持片２１５とを有している。ケーブル挟持片２１５の先端は丸くなった丸曲部２１６となっている。
【００２２】
図５、図６に示すような本発明の第２の実施の形態に係るケーブル用クリップ３００もある。
この第２の実施の形態に係るケーブル用クリップ３００は、一対の作用部３１０が先端において連結されている点、作用部３１０のケーブル挟持片３１５に二連の凹凸３１５Ａが形成されている点が、参考例としてのケーブル用クリップ２００とは異なっている。
【００２３】
まず、一対の作用部３１０の先端、すなわちケーブル挟持片３１５の先端が連結部３２０と平行な先端連結部３１７で連結されている。一対の作用部３１０の先端連結部３１７で連結されることによって、作用部３１０の横方向への変形の危険性が少なくなる。このため、ケーブル６００の保持がより確実になるというメリットがある。また、第１の実施の形態に係るケーブル用クリップ１００や参考例としてのケーブル用クリップ２００のように、ケーブル挟持片１１５、２１５の先端に丸曲部１１６、２１６を形成しなくても、他面側挟持片３１３とケーブル挟持片３１５との間にケーブル６００を挟持する際にケーブル６００を不用意に傷つけることがない。
【００２４】
また、ケーブル挟持片３１５に凹凸３１５Ａが形成されていることによって、より他面側挟持片３１３に向かって凸の部分によりケーブル６００の横方向への移動が抑制されるので、より確実なケーブル６００の保持が可能となる。
【００２５】
なお、この第２の実施の形態に係るケーブル用クリップ３００は、参考例としてのケーブル用クリップ２００とは、一対の作用部３１０が先端連結部３１７で連結されている点、ケーブル挟持片３１５に凹凸３１５Ａが形成されている点が異なるだけで、他の部分は同一になっている。
従って、この第２の実施の形態に係るケーブル用クリップ３００は、一本の弾性体を折曲形成してなり、アングル材５００のフランジ部５１０にケーブル６００を固定するケーブル用クリップであって、略Ｓ字形状に折曲形成された一対の作用部３１０と、この一対の作用部３１０を連結する連結部３２０とを備えており、前記作用部３１０は、前記フランジ部５１０の一面５１１に接する一面側挟持片３１１と、この一面側挟持片３１１と第１Ｕターン部３１２を介して連結され、前記フランジ部５１０の他面５１２に接する他面側挟持片３１３と、この他面側挟持片３１３と第２Ｕターン部３１４を介して連結されたケーブル挟持片３１５とを有している。
【００２６】
上述した第１の実施の形態、第２の実施の形態に係るケーブル用クリップ１００、３００、参考例としてのケーブル用クリップ２００は、それぞれ一対の作用部１１０、３１０、２１０を有していたが、本発明はこのような形態に限定されるものではない。
例えば、図７に示すような本発明の第３の実施の形態に係るケーブル用クリップ４００は、作用部４１０は１つしか有していない。
この本発明の第３の実施の形態に係るケーブル用クリップ４００は、一本の弾性体を折曲形成してなり、アングル材５００のフランジ部５１０にケーブル６００を保持するケーブル用クリップであって、略Ｓ字形状に折曲形成された作用部４１０を備えており、前記作用部４１０は、前記フランジ部５１０の一面５１１に接する一面側挟持片４１１と、この一面側挟持片４１１と第１Ｕターン部４１２を介して連結され、前記フランジ部５１０の他面５１２に接する他面側挟持片４１３と、この他面側挟持片４１３と第２Ｕターン部４１４を介して連結されたケーブル挟持片４１５とを有している。
【００２７】
この本発明の第３の実施の形態に係るケーブル用クリップ４００の特徴的な点は、作用部４１０を１つしか有していない点と、一面側挟持片４１１が略円弧状に形成されている点である。
一面側挟持片４１１以外の作用部４１０、第１Ｕターン部４１２、他面側挟持片４１３、第２Ｕターン部４１４、ケーブル挟持片４１５及び丸曲部４１６は、略円弧状に形成された一面側挟持片４１１を上側からみて直径方向に沿っている。
従って、一面側挟持片４１１と他面側挟持片４１３とでアングル材５００のフランジ部５１０を挟み込むことで、安定的にケーブル用クリップ４００がフランジ部５１０に取り付けられることになる。
【００２８】
他面側挟持片４１３とケーブル挟持片４１５との間の空間にケーブル６００を入れ込むことで、ケーブル６００をアングル材５００に取り付けるのである。
このケーブル用クリップ４００は、作用部４１０が１つしか有していないが、確実にケーブル６００をアングル材５００に取り付けることができる。また、このケーブル用クリップ４００は、アングル材５００の曲がっている部分に取り付けることで、ケーブル６００をアングル材５００の曲がりにより沿って曲げることができるというメリットもある。
【符号の説明】
【００２９】
１００    ケーブル用クリップ
１１０    作用部
１１１    一面側挟持片
１１２    第１Ｕターン部
１１３    他面側挟持片
１１４    第２Ｕターン部
１１５    ケーブル挟持片
５００    アングル材
５１０    フランジ部
６００    ケーブル
【図１】
0005876096.tif 000002
【図２】
0005876096.tif 000003
【図３】
0005876096.tif 000004
【図４】
0005876096.tif 000005
【図５】
0005876096.tif 000006
【図６】
0005876096.tif 000007
【図７】
0005876096.tif 000008